(57)【特許請求の範囲】
【請求項１】
蓋を着脱可能に装着できるカップと、該カップを保持する断熱カップホルダとからなる飲料用容器において、前記カップは、逆截頭円錐形の側壁と、該側壁上縁に周設した半径方向外側に延びるビードと、該ビードにより画成された開口とを有し、前記蓋は、前記ビードにスナップ嵌めできる、外縁が垂下した周状のスカートを有し、前記断熱カップホルダは、有底筒状の内側ライナと、該内側ライナを離間した位置関係で囲繞する有底筒状の外側ボディとでなる二重壁の断熱構造であり、前記内側ライナは、逆截頭円錐形の周壁と、該軸方向に延びる周壁上縁によって画成されたカップ装着口と、周壁下部の底壁とを有し、前記周壁は、断熱カップホルダにカップを保持する際に、その内面に前記カップの側壁外面の実質的全範囲が当接できる形状であり、前記内側ライナと外側ボディとは、内側ライナの周壁上縁近傍の下方位置で外側ボディの軸方向に延びる上縁と互いに気密に接合され、それにより、前記内側ライナと前記外側ボディとの間に断熱空間が画成され、前記外側ボディがカップのビードへの蓋の装着を妨げない位置関係にあることを特徴とする飲料容器。
【請求項２】
前記内側ライナの周壁上縁は、前記ビード下面が当接するとともに前記ビードの半径方向外側部分が前記スカート内に受けいれられてスナップ嵌めされる状態で露出している請求項１記載の飲料容器。
【請求項３】
前記内側ライナの周壁上縁は、前記スカートと接触しない位置関係で前記スカートの下方に位置している請求項１又は２記載の飲料容器。
【請求項４】
前記蓋及びカップは、使い捨て可能なものである請求項１乃至３のいずれか１項記載の飲料容器。
【請求項５】
前記内側ライナ及び前記外側ボディが金属で形成されている請求項１乃至４のいずれか１項記載の飲料容器。
【請求項６】
前記内側ライナ及び前記外側ボディがプラスチックで形成されている請求項１乃至４のいずれか１項記載の飲料容器。
【請求項７】
前記内側ライナは、前記周壁上縁近傍の下方位置に半径方向外側に延びるフランジを有し、該フランジに前記外側ボディの周壁上縁が気密に接合している請求項１乃至６のいずれか１項記載の飲料容器。
【請求項８】
前記外側ボディは、その周壁上部にグリップが設けられている請求項１乃至７のいずれか１項記載の飲料容器。
【請求項９】
前記カップは、前記ビードが前記内側ライナの周壁上縁に当接することによって前記内側ライナ内に吊り下げられる請求項１乃至８のいずれか１項記載の飲料容器。
【請求項１０】
前記カップの底部が前記内側ライナの底壁に当接している請求項１乃至８のいずれか１項記載の飲料容器。
【請求項１１】
カップを受け入れることができるカップ装着口から底壁に向かってテーパ状にすぼまる周壁及び前記カップ装着口を画成するとともにカップ上縁のビードと係合する上縁とを有する内側ライナと、前記内側ライナを離間した位置関係で囲繞してそれらの間の断熱空間を画成する外側ボディと備え、前記外側ボディが、前記内側ライナの周壁上縁近傍の下方で前記内側ライナと気密に接合して、前記断熱空間を画成する断熱カップホルダ。
【請求項１２】
前記内側ライナ及び前記外側ボディが金属製である請求項１１記載の断熱カップホルダ。
【請求項１３】
前記内側ライナ及び前記外側ボディがプラスチック製である請求項１１記載の断熱カップホルダ。
【請求項１４】
前記内側ライナは、前記周壁上縁近傍の下方位置に半径方向外側に延びるフランジを有し、該フランジに前記外側ボディの周壁上縁が気密に接合している請求項１１乃至１３のいずれか１項記載の断熱カップホルダ。
【請求項１５】
前記外側ボディは、その周壁上部にグリップが設けられている請求項１１乃至１４のいずれか１項記載の断熱カップホルダ。
【請求項１６】
前記カップを、前記ビードが前記内側ライナの周壁上縁に当接することによって前記内側ライナ内に吊り下げることができる請求項１１乃至１５のいずれか１項記載の断熱カップホルダ。
【請求項１７】
前記カップの底部を前記内側ライナの底壁に当接できる請求項１１乃至１６のいずれか１項記載の飲料容器。
【発明の詳細な説明】
【０００１】
【発明の属する技術分野】
本発明は、飲料用容器及びこれに用いる断熱カップホルダに関し、より具体的には、使い捨て可能なカップに好適な飲料用容器及びこれに用いる断熱ホルダに関する。
【０００２】
【発明の背景】
近年、いわゆるトラベルマグと称する携帯用コップの使用が爆発的増加していることが見受けられる。一般的なトラベルマグは、内側ライナと外側ボディとが真空又は断熱空間によって互いに離間している容器である。この容器は、取り外し可能に装着される蓋とによって、組み立て商品（アセンブリ）となる。この蓋は、通常、飲み口及び通気孔が設けられている。飲料をトラベルマグに注入すると、熱い冷たいを問わず、その温度は、マグの断熱特性によって維持される。飲料は、飲み口から吸うことによって飲むことができる。この種のマグは、一般に、車の中でも使用されるし、ある場所から別の場所に移動する歩行者によっても使用される。
【０００３】
同時に、種々の飲料、特に明白な例としてコーヒー専門店の店頭販売が爆発的に伸びている。多くの場合、これらの飲料は、使い捨て可能なプラスチック又は紙コップに蓋を装着して販売される。蓋は、通常、飲み口及び／又は従来のストローをカップの中に差し込むための孔を有している。ところが、多くの使い捨て可能なカップは、例えばトラベルマグの特性に近づいていったとしても、その中に含まれる飲料の温度を、所望の温度に維持することができないような性質を持っている。
【０００４】
しかも、加熱又は冷却された飲料の多くの販売主は、商品を個人用のトラベルマグに詰めて売ることを望まず、使い捨て可能な蓋を装着する使い捨て可能なカップを使用することを好む。その結果、そのような販売主から買う顧客は、使い捨て可能なカップの中身を自分個人のトラベルマグに移し替えなければならないか、そのようなマグの望ましい温度保持特性を利用せずに済ませなければならない。
【０００５】
本発明は、上記課題の一つ又はそれ以上を解決しようとするものである。本発明の主な目的は、飲料用容器及びこれに用いる断熱カップホルダを提供することにある。より具体的には、使い捨て可能なカップに好適な飲料用容器及びこれに用いる断熱ホルダを提供することにある。
【０００６】
【発明の概要】
本発明の一態様は、蓋を着脱可能に装着できるカップと、該カップを保持する断熱カップホルダとからなる飲料用容器において、前記カップは、逆截頭円錐形（逆円錐台形）の側壁と、該側壁上縁に周設した半径方向外側に延びるビードと、該ビードにより画成された開口とを有し、前記蓋は、前記ビードにスナップ嵌めできる、外縁が垂れ下がった周状のスカートを有し、前記断熱カップホルダは、有底筒状の内側ライナと、該内側ライナを離間した位置関係で囲繞する有底筒状の外側ボディとでなる二重壁の断熱構造であり、前記内側ライナは、逆截頭円錐形の周壁と、該軸方向に延びる周壁上縁によって画成されたカップ装着口と、周壁下部の底壁とを有し、前記周壁は、断熱カップホルダにカップを保持する際に、その内面に前記カップの側壁外面の実質的全範囲が当接できる形状であり、前記内側ライナと外側ボディとは、内側ライナの周壁上縁近傍の下方で外側ボディの軸方向に延びる上縁と互いに気密に接合され、それにより、前記内側ライナと前記外側ボディとの間に断熱空間が画成され、前記外側ボディがカップのビードへの蓋の装着を妨げない位置関係にあることを特徴としている。
【０００７】
また、断熱カップホルダにあっては、カップを受け入れることができるカップ装着口から底壁に向かってテーパ状にすぼまる周壁及び前記カップ装着口を画成するとともにカップ上縁のビードと係合するように軸方向に延びた上縁とを有する内側ライナと、前記内側ライナを離間した位置関係で囲繞してそれらの間の断熱空間を画成する外側ボディと備え、前記外側ボディが、前記内側ライナの周壁上縁近傍の下方で前記内側ライナと気密に接合して、前記断熱空間を画成することを特徴としている。
【０００８】
さらに、好ましい態様としては、前記内側ライナの周壁上縁は、前記ビード下面が当接するとともに前記ビードの半径方向外側部分を前記スカート内に受けいれられてスナップ嵌めされる状態で露出することができる。別の好ましい態様としては、前記内側ライナの周壁上縁は、前記スカートと接触しない位置関係で前記スカートの下方に位置している。
【０００９】
また、前記蓋及びカップは、使い捨て可能なものであってよく、前記内側ライナ及び前記外側ボディは金属製あるいはプラスチック製である。前記内側ライナは、前記周壁上縁近傍の下方位置に半径方向外側に延びるフランジを有し、該フランジに前記外側ボディの周壁上縁が気密に接合している。前記外側ボディは、その周壁上部にグリップが設けられていてもよい。前記カップは、前記ビードが前記内側ライナの周壁上縁に当接することによって前記内側ライナ内に吊り下げられるか、底部が前記内側ライナの底壁に当接していることが好ましい。
【００１０】
【発明の実施の形態】
以下、添付図面に基づいて本発明の実施形態を説明する。図１は、本発明の好ましい実施態様の第１例を示すもので、符号１０で示す従来の使い捨て可能な飲料用のカップは、その用途に応じて、紙、プラスチックコート紙又はプラスチック等でできている。カップ１０は、側壁１６の上縁１２が下縁１４よりも小径のを逆截頭円錐形を呈している。上縁１２には、半径方向外側に膨出する典型的な周方向のビード１８を有している。上縁１２及びビード１８は、カップ１０に飲料を出し入れするための、円形の上部アクセス開口をカップ１０内に画成する。
【００１１】
同じく図１には、典型的な使い捨て可能な飲料用カップの蓋が符号２０で示されている。この蓋２０は、従来からの構造を有していてもよい、該蓋２０は、天板に飲み口２１と窪み２２とを有し、天板の周縁に下方に外末広がり連設した側壁２６と該側壁２６に連続する半径方向内側に開口する周状の溝２８と、該溝２８に連続する半径方向外側に垂れ下がる周状のスカート２４とを有している。蓋２０は、前記溝２８をビード１８の周囲にスナップ嵌めすることによってカップ１０に装着することができる。
【００１２】
符号３０で示す断熱カップホルダは、本発明に係る一態様である。このカップホルダ３０は、外側ボディ（シェル）３４によって内側ライナ３２が囲繞された構造である。外側ボディ３４は、内側ライナ３２から離間して断熱空間３６を画定している。この断熱空間３６は、所望により、断熱材料を充填することもできるし、いわゆる「デッドエア」空間を構成することもできるし、真空排気して真空空間を画定することもできる。
【００１３】
図１に示す実施態様では、内側ライナ３２及び外側ボディ３４はプラスチックで形成されている。内側ライナ３２は、一端が底壁４０で終端し、反対側端が軸方向に延びる上縁４２で終端する逆截頭円錐形の周壁３８を有している。図示するように、周壁３８の内面は、カップ１０の側壁１６の全範囲を実質的に密接状態で受けて、それに当接するような大きさである。
【００１４】
前記上縁４２は、カップ１０をカップホルダ３０に挿入することができる円形のカップ装着口を画定する。図１に示す上縁４２の幅は、カップ１０への蓋２０のスナップ嵌めを妨げることなく、ビード１８の下面が当接できる幅である。
【００１５】
外側ボディ３４は、底壁４６と、ほぼ逆截頭円錐形の側壁４８及び軸方向に延びる上縁５０を有している。
【００１６】
また、内側ライナ３２は、周壁上縁４２近傍の下方位置に、半径方向外側に延びる周方向フランジ５２が位置している。フランジ５２は、外側ボディ３４の軸法に延びる上縁５０上に載るようなものであり、この場所で、フランジ５２と外側ボディ３０の上縁５０とが接合し、シールされて断熱空間３６を形成する。
【００１７】
図１から、スカート２４の底縁とフランジ５２の上面との間に小さな空間５４が周状に存在することがわかる。この隙間は、蓋２０をカップ１０に被せたままカップ１０をカップホルダ３０に挿入しても、蓋２０がカップ１０から外れないことを許容する。これはまた、カップ１０がカップホルダ３０内に挿入されているときでも、蓋２０をカップ１０に着脱することを可能にする。
【００１８】
図１に示す実施態様では、カップ１０の下部１４が内側ライナ３２の底壁４０よりも上にあることがわかる。この位置関係で、カップ１０は、内側ライナ３２の軸方向に延びる上縁４２とビード１８の下面との当接によって吊り下げられている。
【００１９】
図２は、いくつかの相違を除いては図１の実施態様と本質的に同じである本発明の第２実施態様例を示す。説明の簡潔さを考慮して同種の部品又は要素は図１と同一の符号を示す。
【００２０】
この実施態様では、内側ライナ３２は、カップ装着口を半径方向に延びるフランジ５２の上縁と同一面とし、軸方向に延びる（図１の）上縁４２を省略している。ここでもまた、フランジ５２とスカート２４との間にわずかな隙間５４が維持されている。図１の実施態様と図２の実施態様との第二の相違は、内側ライナ３２の内部形状である。この場合、底壁４０はカップ１０の側壁１６の底縁６０を支持している。
【００２１】
図３に示す第３の実施態様例によると、内側ライナ３２及び外側ボディ３４は金属で形成され、一般的に、内側ライナ３２と外側ボディ３４との間の空間３６内は真空である。カップ１０及びその蓋２０は、従来と同様の構造であって、図１及び２に関して前述したとおりである。この場合、外側ボディ３４の上端は軸方向の上縁６２で終端し、この縁は、内側ライナ３２と、その上縁４２の近傍の下方で合わさるか、それに接合されている。カップ１０のホルダ３０への配置は、上縁４２がカップ１０のビード１８と係合し、カップ１０の底縁１４が内側ライナ３２の底壁４０よりも上方にある状態で同カップを支えるようなものである。スカート２４が内側ライナ３２及び外側ボディ３４の上縁４２、６２の上に載ることがわかる。図３の実施態様は、逆Ｌ字形のグリップ６３を装備し、グリップ６３の水平方向の脚は、外側ボディ３４の上縁近傍部分を包囲するリング形のバンド６４で終端する。グリップ６３は、適当な手段によって外側ボディ３４に結合することができる。
【００２２】
図４に示す第４の実施態様は、グリップ６３が、外側ボディ３４に対し、同じくその上縁近傍で、かつ蓋２０上のスカート２４の終端部のすぐ下方で結合又は嵌め合うことができるゴム又はプラスチックのリング６５の形態にあることを除き、図３とほぼ同一である実施態様を示す。
【００２３】
望むならば、図３及び４に示す実施態様のいずれかの内側ライナ３２は、図２に示すようにカップ１０の側壁１６の下縁１４がそれに当接するような大きさであってもよいことが理解されよう。
【００２４】
【発明の効果】
以上のことから、本断熱カップホルダに従来のカップを組み付けると、従来のカップに断熱カップホルダの断熱特性を与えることになって、カップ内の飲料の温度を所望のレベルに維持することができる。また、本断熱カップホルダは、カップを挿入した際に、蓋のカップへの着脱が妨げられることがない。さらに、カップをホルダに挿入する前に蓋をカップに装着したとしても、ホルダが蓋と係合して蓋をカップから外れさせたり部分的には外れさせたりする虞がない。
【図面の簡単な説明】
【図１】  本発明の断熱カップホルダの第１の実施態様の垂直断面図
【図２】  同じく第２の実施態様の垂直断面図
【図３】  同じく第３の実施態様の垂直断面図
【図４】  同じく第４の実施態様の垂直断面図
【符号の説明】
１０…カップ、１２…上縁、１４…下縁、１６…側壁、１８…ビード、２０…蓋、２４…スカート、２６…側壁、２８…溝、３０…断熱カップホルダ、３２…内側ライナ、３４…外側ボディ、３６…断熱空間、３８…内面、４０…底壁、４２…周壁上縁、４６…底壁、４８…側壁、５０…上縁、５２…フランジ、６０…底縁、６３…グリップ、６４…バンド
【図１】
0003645518.tif 000002
【図２】
0003645518.tif 000003
【図３】
0003645518.tif 000004
【図４】
0003645518.tif 000005